(57)【特許請求の範囲】
【請求項１】
少なくとも芯材と表皮とを有するインストルメントパネルの下部に対し、開口部が形成され、該開口部の縁部にニーエアバッグ装置が取付けられ、該ニーエアバッグ装置が少なくともバッグ本体と開裂部とを備えた車両用ニーエアバッグ装置であって、
前記開口部の縁部における表皮と芯材との層間に収納凹部が設けられ、該収納凹部は、前記芯材、または、芯材に取付けられた別部材を凹状に形成することによって構成されると共に、前記収納凹部は、前記開口部の上左右の３辺に沿ったほぼ逆Ｕ字状に設けられ、
前記バッグ本体が、収納凹部に収納され、
且つ、前記開裂部が、前記表皮の前記収納凹部と対応する部分に形成されたことを特徴とする車両用ニーエアバッグ装置。
【請求項２】
前記収納凹部に対し前記バッグ本体を前記収納凹部の中央へ向けて移動自在な取付点を介して取付けると共に、移動自在な取付点が、長穴と、該長穴に沿って移動自在に取付けられた取付部材とを有することを特徴とする請求項１記載の車両用ニーエアバッグ装置。
【請求項３】
前記バッグ本体を、裏面どうしを互いに接触させて重ね合わせた二枚の基布の周縁部を縫い合わせることにより形成し、且つ、前記基布の周縁部に複数の部分重ね縫い代を形成したことを特徴とする請求項１または２記載の車両用ニーエアバッグ装置。
【請求項４】
前記バッグ本体に、所定以上の圧力が作用した時に破断されるヒューズ縫い部を形成したことを特徴とする請求項１ないし３いずれかに記載の車両用ニーエアバッグ装置。
【発明の詳細な説明】
【０００１】
【発明の属する技術分野】
本発明は、車両用ニーエアバッグ装置に関するものである。
【０００２】
【従来の技術】
車両の助手席又は運転席乗員前方におけるインストルメントロアーの内に設けられるニーエアバッグ装置としては、従来、特開平６ー８００５８号公報に開示されたものが知られている。
【０００３】
この公報に開示された車両用ニーエアバッグ装置は図２１に示すような構造を備えており、バッグ本体１が膨張すると、これに伴い、回動軸２を中心にリッド３が回動しリンク機構４を介してリッド３の上端部が車室内後方へ移動するように開作動する。
【０００４】
これにより、バッグ本体１が車室内へ膨出して助手席５の乗員６を保護する。
【０００５】
同時に、リッド３は車室内後方へ突出した状態となり、リッド３が助手席５の乗員６のニープロテクタとして機能する。
【０００６】
この際、リッド３はバッグ本体１によって支持されるので、バッグ本体１の圧力で助手席５の乗員６の膝荷重を吸収し、衝撃吸収効果が高められる。
【０００７】
そして、従来、上記バッグ本体１は、表面どうしを互いに接触させて重ね合わせた二枚の基布の周縁部を縫い合わせて袋状にした後、裏返して表面を外側に出すことにより形成されていた。
【０００８】
また、バッグ本体１は、その取付け位置を固定されていた。
【０００９】
【発明が解決しようとする課題】
しかしながら、上記従来の車両用ニーエアバッグ装置では、表面どうしを互いに接触させて重ね合わせた二枚の基布の周縁部を縫い合わせて袋状にした後、裏返して表面を外側に出すことによりバッグ本体１を形成していたので、縫製後のバッグ本体１を表に返す作業を要し、その分、製造に手間がかかるという問題があった。
【００１０】
また、バッグ本体１は、単に位置を固定させて取付けられているに過ぎなかったので、乗員６の体格などに応じて展開時の入力荷重を調整させる機能を持たせることはできなかった。
【００１１】
そこで、本発明の目的は、上記の問題点を解消し、製造を容易化し、乗員の体格などに応じて展開時の入力荷重を調整させることのできる車両用ニーエアバッグ装置を提供することにある。
【００１２】
【課題を解決するための手段】
上記課題を解決するために、請求項１に記載された発明では、少なくとも芯材と表皮とを有するインストルメントパネルの下部に対し、開口部が形成され、該開口部の縁部にニーエアバッグ装置が取付けられ、該ニーエアバッグ装置が少なくともバッグ本体と開裂部とを備えた車両用ニーエアバッグ装置であって、前記開口部の縁部における表皮と芯材との層間に収納凹部が設けられ、該収納凹部は、前記芯材、または、芯材に取付けられた別部材を凹状に形成することによって構成されると共に、前記収納凹部は、前記開口部の上左右の３辺に沿ったほぼ逆Ｕ字状に設けられ、前記バッグ本体が、収納凹部に収納され、且つ、前記開裂部が、前記表皮の前記収納凹部と対応する部分に形成されたことを特徴としている。
【００１３】
このように構成された請求項１にかかる発明によれば、ニーエアバッグ装置のバッグ本体をインストルメントパネルの表皮と芯材との層間に形成した収納凹部の内部へ収納しているので、見栄えを良くすることができる。また、ニーエアバッグ装置のバッグ本体をインストルメントパネルの表皮と芯材との層間に形成した収納凹部の内部へ収納しているので、組立時にニーエアバッグ装置の位置合せの手間をなくすことができる。更に、ニーエアバッグ装置のバッグ本体をインストルメントパネルの表皮と芯材との層間に形成した収納凹部の内部へ収納しているので、ニーエアバッグ装置が車室内側へ出っ張らないようにすることができ、車室の室内空間を広くすることができる。加えて、インストルメントパネルの収納凹部と対応する部分に開裂部を設けているので、バッグ本体膨出時の開裂を容易化することができる。且つ、開裂部を開口部の縁部に形成することにより、外側から見えなくすることができるので、外観品質を向上することができる。
【００１４】
請求項２に記載された発明では、前記収納凹部に対し前記バッグ本体を前記収納凹部の中央へ向けて移動自在な取付点を介して取付けると共に、移動自在な取付点が、長穴と、該長穴に沿って移動自在に取付けられた取付部材とを有することを特徴としている。
【００１５】
このように構成された請求項２にかかる発明によれば、前記収納凹部に対しバッグ本体の取付点を中央へ向けて移動自在に取付けているので、バッグ本体の容量を大きくすることなく膨出時のバッグ本体の厚みを増すことができる。
【００１６】
請求項３に記載された発明では、前記バッグ本体を、裏面どうしを互いに接触させて重ね合わせた二枚の基布の周縁部を縫い合わせることにより形成し、且つ、前記基布の周縁部に複数の部分重ね縫い代を形成したことを特徴としている。
【００１７】
このように構成された請求項３にかかる発明によれば、前記バッグ本体を、裏面どうしを互いに接触させて重ね合わせた二枚の基布の周縁部全周を縫い合わせることにより形成しているので、縫製後のバッグ本体を表に返す作業がなくなり、その分、製造を容易化することができる。この際、基布の周縁部に複数の部分重ね縫い代を形成し、部分重ね縫い代を折曲げて部分的に重ね縫いされるようにすることにより、バッグ本体の周縁部の強度を上げることができる。しかも、重ね縫いされた部分はクッション効果が高くなるので、乗員への当たりを柔らかなものとすることができる。
【００１８】
請求項４に記載された発明では、前記バッグ本体に、所定以上の圧力が作用した時に破断されるヒューズ縫い部を形成したことを特徴としている。
【００１９】
このように構成された請求項４にかかる発明によれば、バッグ本体に、ヒューズ縫い部を形成したので、バッグ本体の内圧が高くなった時にヒューズ縫い部が破断されてバッグ本体の内圧を低下させるので、乗員の膝への入力が低減されるようにすることができる。
【００２０】
【発明の実施の形態１】
以下、本発明の具体的な実施の形態１について、図示例と共に説明する。
【００２１】
図１〜図９は、この発明の実施の形態１を示すものである。
【００２２】
まず、構成を説明すると、この実施の形態１のものでは、図１に示すように、インストルメントパネル２１を構成しているインストルメントロアー２２には、グローブボックス２３用などの開口部２４が形成されており、このグローブボックス２３用の開口部２４周縁には上左右の３辺に沿ってほぼ逆Ｕ字状の収納凹部２５が設けられている。
【００２３】
即ち、図２に示すように、前記インストルメントパネル２１は、樹脂成形された芯材２７の表面にクッション層２８と表皮２９とがこの順に積層された構成を備えており、芯材２７の前記部分を凹状に形成することにより、芯材２７とクッション層２８との間に前記収納凹部２５を形成させるようにしている。
【００２４】
そして、図３に示すように、表皮２９には収納凹部２５と対応する部分（収納凹部２５を覆う部分）に開裂部３０が形成されている。この開裂部３０は、グローブボックス２３用の開口部２４の縁部に沿って表皮２９を分断し且つ分断部を接合することにより設定されている。
【００２５】
そして、前記収納凹部２５には、ニーエアバッグ装置３１のバッグ本体３２が折畳まれた状態で収納されている。
【００２６】
このバッグ本体３２は、図４に示すように、収納凹部２５の上辺のほぼ中央において、第１の取付点３３で収納凹部２５に取付けられている。この際、バッグ本体３２には中央に形成された開口３４の部分にインフレータ３５などのガス発生器が内在されており、第１の取付点３３はインフレータ３５に設けたウエルドボルトやナットなどの締結部材によって構成されている。
【００２７】
また、バッグ本体３２は、収納凹部２５の左右辺の下部において第２・第３の取付点３６，３７で収納凹部２５に取付けられている。この際、収納凹部２５には左右方向へほぼ水平に延びる長穴３８が形成されており、この第２・第３の取付点３６，３７は長穴３８に沿い中央へ向けて移動自在に取付けられている。この第２・第３の取付点３６，３７は、図５に示すように、両端に頭部を有するピンなどの取付部材３９によって構成されている。また、この取付部材３９は、バッグ本体３２の第２・第３の取付点３６，３７および収納凹部２５の長穴３８に対し遊嵌されることにより回転自在となっている。
【００２８】
前記バッグ本体３２は、図６〜図８に示すように、裏面どうしを互いに接触させて重ね合わせた二枚の基布４０，４１の周縁部全周を縫い合わせる（縫合線４２）ことにより形成される。この際、基布４０，４１の周縁部に複数（図では３箇所）の部分重ね縫い代４３，４４を形成し、部分重ね縫い代４３，４４を上方へ折曲げて部分的に４枚重ね縫いされるようにする。
【００２９】
また、バッグ本体３２の左右には、それぞれ中心線イとほぼ平行なヒューズ縫い部４５〜４７（図では３本となっているが１本でもそれ以上でも良い）が形成されており、バッグ本体３２の内部は、開口３４部分を含む中央の室４８と、この中央の室４８の左右にてヒューズ縫い部４５〜４７により順次隔離された複数の室４９〜５１とに区切られている。なお、ヒューズ縫いとは、所定以上の圧力が作用すると破断されるようにした縫い目のことである。
【００３０】
次に、作動について説明する。
【００３１】
インフレータ３５からのガスによりバッグ本体３２が膨張すると、バッグ本体３２の膨張の圧力によって開裂部３０が開裂され、開裂部３０からバッグ本体３２が車室内へ膨出する。これにより、乗員の膝部などが保護される。
【００３２】
この際、ニーエアバッグ装置３１のバッグ本体３２をインストルメントパネル２１の表皮２９と芯材２７との層間に形成した収納凹部２５の内部へ収納しているので、見栄えを良くすることができる。また、ニーエアバッグ装置３１のバッグ本体３２をインストルメントパネル２１の表皮２９と芯材２７との層間に形成した収納凹部２５の内部へ収納しているので、組立時にニーエアバッグ装置３１の位置合せの手間をなくすことができる。更に、ニーエアバッグ装置３１のバッグ本体３２をインストルメントパネル２１の表皮２９と芯材２７との層間に形成した収納凹部２５の内部へ収納しているので、ニーエアバッグ装置３１が車室内側へ出っ張らないようにすることができ、車室の室内空間を広くすることができる。加えて、インストルメントパネル２１の収納凹部２５と対応する部分に開裂部３０を設けているので、バッグ本体３２膨出時の開裂を容易化することができる。且つ、開裂部３０をグローブボックス２３用の開口部２４の縁部に形成することにより、外側から見得なくすることができるので、外観品質を向上することができる。
【００３３】
また、収納凹部２５の左右辺の下部に対しバッグ本体３２の第２・第３の取付点３６，３７を長穴３８に沿い中央へ向けて移動自在に取付けているので、バッグ本体３２の容量を大きくすることなく膨出時のバッグ本体３２の厚みを増すことができる。即ち、バッグ本体３２の容量が同一の場合、図４に示すように、取付点３６，３７間の距離がａのままの場合よりも、距離がｂとなった方が大きな厚みが得られる。この際、バッグ本体３２の第２・第３の取付点３６，３７を構成する取付部材３９を回転自在とすることにより、膨出時にバッグ本体３２が受けるダメージを少なくすることができる。且つ、膨出時のバッグ本体３２の展開をスムーズにすることができる。
【００３４】
更に、バッグ本体３２を、裏面どうしを互いに接触させて重ね合わせた二枚の基布４０，４１の周縁部全周を縫い合わせる（縫合線４２）ことにより形成しているので、縫製後のバッグ本体３２を表に返す作業がなくなり、その分、製造を容易化することができる。この際、基布４０，４１の周縁部に複数の部分重ね縫い代４３，４４を形成し、部分重ね縫い代４３，４４を上方へ折曲げて部分的に４枚重ね縫いされるようにすることにより、バッグ本体３２の周縁部の強度を上げることができる。しかも、４枚重ね縫いされた部分はクッション効果が高くなるので、乗員への当たりを柔らかなものとすることができる。
【００３５】
加えて、バッグ本体３２の左右に、それぞれ中心線イとほぼ平行なヒューズ縫い部４５〜４７（図では３本となっているが１本でもそれ以上でも良い）を形成して、バッグ本体３２の内部を、開口３４部分を含む中央の室４８と、この中央の室４８の左右にてヒューズ縫い部４５〜４７により順次隔離された複数の室４９〜５１とに区切ったことにより、乗員の膝への入力が低減されるようコントロールすることができる。即ち、図９に示すように、ヒューズ縫い部４５〜４７がないと、線ｃのようにバッグ本体３２の内圧が一気に高くなってしまうが、ヒューズ縫い部４５〜４７を設けると線ｄのようにバッグ本体３２の内圧が破断圧力ｅよりも高くなると最初のヒューズ縫い部４５が破断されてバッグ本体３２の内圧が下がり、次にバッグ本体３２の内圧が破断圧力ｅよりも高くなると二番目のヒューズ縫い部４６が破断されてバッグ本体３２の内圧が下がるという作用をヒューズ縫い部の数だけ繰返しつつバッグ本体３２を膨張させることができる。
【００３６】
【発明の実施の形態２】
図１０は、この発明の実施の形態２を示すものであり、開裂部５１を芯材２７と表皮２９との接合部を剥離しやすくなるようにすることにより設定したものである。
【００３７】
上記以外については、前記実施の形態１と同様の構成を備えており、同様の作用・効果を得ることができる。
【００３８】
【変形例】
図１１は、実施の形態２の第１の変形例であり、図３と同様の構成において収納凹部２５を芯材２７とは別部材５２で構成したものである。
【００３９】
このように、収納凹部２５を芯材２７とは別部材５２で構成することにより、インストルメントパネル２１の製造の自由度を増すことができる。
【００４０】
図１２は、実施の形態２の第２の変形例であり、図１１と同様の構成において収納凹部２５を芯材２７とは別部材５２で構成したものである。
【００４１】
このように、収納凹部２５を芯材２７とは別部材５２で構成することにより、インストルメントパネル２１の製造の自由度を増すことができる。
【００４２】
図１３は、実施の形態２の第３の変形例であり、図３と同様の構成において収納凹部２５内にバッグ本体３２を収容するインナーリッド５３を取付けたものである。
【００４３】
このように、収納凹部２５内にバッグ本体３２を収容するインナーリッド５３を取付けることにより、膨張時にバッグ本体３２ではなくインナーリッド５３がクッション層２８や表皮２９を押すようになるので、より開裂を容易化することができる。なお、インナーリッド５３は、図１０〜図１２のものに取付けるようにしても良い。
【００４４】
【発明の実施の形態３】
図１４は、この発明の実施の形態３を示すものであり、バッグ本体３２の第２・第３の取付点３６，３７を取付ける長穴５４を中央へ進むに従い上方へ向かう上がり勾配に形成したものである。
【００４５】
上記以外については、前記実施の形態１と同様の構成を備えており、同様の作用・効果を得ることができる。
【００４６】
【変形例】
図１５は、実施の形態３の変形例であり、図４と同様の構成において長穴３８の途中にボッチ状の移動規制部５５を形成したものである。
【００４７】
このように長穴３８の途中にボッチ状の移動規制部５５を形成することにより、第２・第３の取付点３６，３７は、インフレータ３５からのガスの圧力が弱いときには移動規制部５５で止められ、インフレータ３５からのガスの圧力が強いときには移動規制部５５で一旦停止され、更に、移動規制部５５を乗り越えて長穴３８の端部まで移動することになる。これにより、乗員の膝への入力を低減することができる。また、インフレータ３５からのガス圧によってバッグ本体３２の厚みをコントロールすることができる。なお、移動規制部５５は、複数設けても良い。且つ、図１４の長穴５４に設けても良い。
【００４８】
【発明の実施の形態４】
図１６は、この発明の実施の形態４を示すものであり、基布４０，４１の周縁部に形成する部分重ね縫い代４３，４４を細かく細分化したものである。
【００４９】
このようにしても、図６の場合と同様の作用効果を得ることができる。
【００５０】
上記以外については、前記実施の形態１と同様の構成を備えており、同様の作用・効果を得ることができる。
【００５１】
【変形例】
図１７は、実施の形態４の第１の変形例であり、部分重ね縫い代４３，４４を二枚の基布４０，４１の内側へ折り込むようにしたものである。
【００５２】
図１８は、実施の形態４の第２の変形例であり、部分重ね縫い代４３を基布４０の上側へ、部分重ね縫い代４４を基布４１の下側へそれぞれ折るようにしたものである。
【００５３】
図１９は、実施の形態４の第３の変形例であり、部分重ね縫い代４３を基布４１の上側へ、部分重ね縫い代４４を基布４０の上側へそれぞれ折るようにしたものである。
【００５４】
図２０は、実施の形態４の第４の変形例であり、部分重ね縫い代４４のみを設けるようにしたものである。
【００５５】
【発明の効果】
以上説明してきたように、請求項１の発明によれば、ニーエアバッグ装置のバッグ本体をインストルメントパネルの表皮と芯材との層間に形成した収納凹部の内部へ収納しているので、見栄えを良くすることができる。また、ニーエアバッグ装置のバッグ本体をインストルメントパネルの表皮と芯材との層間に形成した収納凹部の内部へ収納しているので、組立時にニーエアバッグ装置の位置合せの手間をなくすことができる。更に、ニーエアバッグ装置のバッグ本体をインストルメントパネルの表皮と芯材との層間に形成した収納凹部の内部へ収納しているので、ニーエアバッグ装置が車室内側へ出っ張らないようにすることができ、車室の室内空間を広くすることができる。加えて、インストルメントパネルの収納凹部と対応する部分に開裂部を設けているので、バッグ本体膨出時の開裂を容易化することができる。且つ、開裂部を開口部の縁部に形成することにより、外側から見えなくすることができるので、外観品質を向上することができる。
【００５６】
請求項２の発明によれば、前記収納凹部に対しバッグ本体の取付点を中央へ向けて移動自在に取付けているので、バッグ本体の容量を大きくすることなく膨出時のバッグ本体の厚みを増すことができる。
【００５７】
請求項３の発明によれば、前記バッグ本体を、裏面どうしを互いに接触させて重ね合わせた二枚の基布の周縁部全周を縫い合わせることにより形成しているので、縫製後のバッグ本体を表に返す作業がなくなり、その分、製造を容易化することができる。この際、基布の周縁部に複数の部分重ね縫い代を形成し、部分重ね縫い代を折曲げて部分的に重ね縫いされるようにすることにより、バッグ本体の周縁部の強度を上げることができる。しかも、重ね縫いされた部分はクッション効果が高くなるので、乗員への当たりを柔らかなものとすることができる。
【００５８】
請求項４の発明によれば、バッグ本体に、ヒューズ縫い部を形成したので、バッグ本体の内圧が高くなった時にヒューズ縫い部が破断されてバッグ本体の内圧を低下させるので、乗員の膝への入力が低減されるようにすることができる、という実用上有益な効果を発揮し得る。
【図面の簡単な説明】
【図１】本発明の実施の形態１の全体図である。
【図２】図１のＡ−Ａ線に沿った断面図である。
【図３】図２の部分拡大側方断面図である。
【図４】収納凹部の平面図である。
【図５】第２，第３の取付け点の側方断面図である。
【図６】バッグ本体の平面図である。
【図７】図６のＢ−Ｂ線に沿った断面図である。
【図８】図６のＣ−Ｃ線に沿った断面図である。
【図９】バック内圧と変位との関係を示すグラフである。
【図１０】この発明の実施の形態２の部分拡大側方断面図である。
【図１１】実施の形態２の第１の変形例の部分拡大側方断面図である。
【図１２】実施の形態２の第２の変形例の部分拡大側方断面図である。
【図１３】実施の形態２の第３の変形例の部分拡大側方断面図である。
【図１４】この発明の実施の形態３の部分拡大図である。
【図１５】この発明の実施の形態３の変形例の部分拡大図である。
【図１６】この発明の実施の形態４の部分平面図である。
【図１７】実施の形態４の第１の変形例の側面図である。
【図１８】実施の形態４の第２の変形例の側面図である。
【図１９】実施の形態４の第３の変形例の側面図である。
【図２０】実施の形態４の第４の変形例の側面図である。
【図２１】従来例の側方断面図である。
【符号の説明】
２１        インストルメントパネル
２４        開口部
２５        収納凹部
２９        表皮
３０，５１  開裂部
３２        バッグ本体
３６，３７  取付点
４０，４１  基布
４３，４４  部分重ね縫い代
４５〜４７  ヒューズ縫い部
【図１】
0004034459.tif 000002
【図２】
0004034459.tif 000003
【図３】
0004034459.tif 000004
【図４】
0004034459.tif 000005
【図５】
0004034459.tif 000006
【図６】
0004034459.tif 000007
【図７】
0004034459.tif 000008
【図８】
0004034459.tif 000009
【図９】
0004034459.tif 000010
【図１０】
0004034459.tif 000011
【図１１】
0004034459.tif 000012
【図１２】
0004034459.tif 000013
【図１３】
0004034459.tif 000014
【図１４】
0004034459.tif 000015
【図１５】
0004034459.tif 000016
【図１６】
0004034459.tif 000017
【図１７】
0004034459.tif 000018
【図１８】
0004034459.tif 000019
【図１９】
0004034459.tif 000020
【図２０】
0004034459.tif 000021
【図２１】
0004034459.tif 000022